(57)【特許請求の範囲】
【請求項１】
空気調和機本体、該空気調和機本体に取り付けた化粧パネル本体及び該化粧パネル本体に取り付けられ該化粧パネル本体のコーナ部の意匠面を形成するコーナパネル等を備えた天井埋込形空気調和機において、
前記コーナパネルと化粧パネル本体との間に、係合部と該係合部に係合する係合受け部を備え前記コーナパネルを前記化粧パネル本体に係止させるネジ固定部を設けると共に、
前記コーナパネル側に設られた係止爪と前記化粧パネル本体側に設けられ前記係止爪に係止する係止穴を備え、該係止穴に前記係止爪を挿入して前記コーナパネルをスライドさせ前記コーナパネルを前記化粧パネル本体に係止させるスライド係止部を設け、
さらに、前記コーナパネル側に設けられた引掛け用リブと、前記化粧パネル本体側に設けられ先端部に前記コーナパネルの引掛け用リブを引掛けて係止させる引掛け爪を有する断面ほぼＬ字状の弾性爪部を備え、前記コーナパネルを前記化粧パネル本体に係止させる際に、前記コーナパネルのスライドに伴って前記引掛け用リブが前記弾性爪部の引掛け爪と接触して該弾性爪部を弾性変形させ、前記コーナパネルのスライド後に前記引掛け用リブと弾性爪部の引掛け爪とが係止して、前記コーナパネルがスライド方向と逆方向に移動するのを妨げる引掛け部を設けた、
ことを特徴とする天井埋込形空気調和機。
【発明の詳細な説明】
【０００１】
【発明の属する技術分野】
本発明は、据付作業時間を短縮化して据付け性を改善した天井埋込形空気調和機に関するものである。
【０００２】
【従来の技術】
図３は従来の天井埋込形空気調和機の一例を示す分解斜視図である。この空気調和機は高所に据付けられており、室内の空気を吸い込む吸込口と、空気を室内に還流させる吹出口を持つ。１は空気調和機の本体、２は化粧パネルの本体、４は化粧パネル本体２を空気調和機本体１に固定するためのネジである。３は化粧パネルのコーナ部の意匠面を形成するコーナパネルで、空気調和機本体１や化粧パネル本体２とは別部材によって構成されている。
【０００３】
図４は図３の要部を示す平面図、図５は図４の組立て状態を示す縦断面図である。図に示すように、コーナパネル３にはあらかじめヒモ２０の一端がネジ２１によって固定されており、この状態で工場から出荷する。化粧パネル本体２はコーナパネル３の内部領域に位置し、固定ネジ４によって空気調和機本体１に固定されているので、化粧パネル本体２の据付け時及びサービス時などには、必ずこのコーナパネル３の着脱を必要とする。
【０００４】
コーナパネル３の固定は、ヒモ２０の他端をネジ２２によって化粧パネル本体２に固定したあと、化粧パネル本体２の係止穴９にコーナパネル３の係止爪１０を係止させて矢印方向にスライドし、係合部１１の係合爪１２を化粧パネル本体２に設けた係合受け部５の係合凸部８と係合させて、係合部１１を係合受け部５に固定ネジ１４により固定して行っている。コーナパネル３の取り外しは先と逆の手順によって行えばよい。
【０００５】
ヒモ２０は、コーナパネル３を固定する係合部１１の領域が、吸込みグリル１８のために油煙環境下にあり、空気調和機の運転時等に係合部１１が破損してコーナパネル３が外れることがあるため、ヒモ２０によってコーナパネル３が外れるのを防止している。
【０００６】
【発明が解決しようとする課題】
上記のように構成した天井埋込形空気調和機のコーナパネル３の取付け構造によれば、コーナパネル３を手で持ちながらこれを化粧パネル本体２に固定ネジ１４によって固定しなければならず、作業に手間が生じるなどの問題があった。また、ヒモ２０等を要するため、コスト高にもなっていた。
【０００７】
本発明は上記のような課題を解決するためになされたもので、コーナパネルの着脱作業時間の短縮化を計ると共に、コストが低くて済む天井埋込形空気調和機を提供することを目的とする。
【０００８】
【課題を解決するための手段】
本発明は、空気調和機本体、空気調和機本体に取り付けた化粧パネル本体及び化粧パネル本体に取り付けられ化粧パネル本体のコーナ部の意匠面を形成するコーナパネル等を備えた天井埋込形空気調和機であって、コーナパネルと化粧パネル本体との間に、係合部とこの係合部に係合する係合受け部を備えコーナパネルを化粧パネル本体に係止させるネジ固定部を設けると共に、コーナパネル側に設られた係止爪と化粧パネル本体側に設けられ係止爪に係止する係止穴を備え、係止穴に係止爪を挿入してコーナパネルをスライドさせコーナパネルを化粧パネル本体に係止させるスライド係止部を設け、さらに、コーナパネル側に設けられた引掛け用リブと、化粧パネル本体側に設けられ先端部にコーナパネルの引掛け用リブを引掛けて係止させる引掛け爪を有する断面ほぼＬ字状の弾性爪部を備え、コーナパネルを化粧パネル本体に係止させる際に、コーナパネルのスライドに伴って引掛け用リブが弾性爪部の引掛け爪と接触して弾性爪部を弾性変形させ、コーナパネルのスライド後に引掛け用リブと弾性爪部の引掛け爪とが係止して、コーナパネルがスライド方向と逆方向に移動するのを妨げる引掛け部を設けたものである。
。
【０００９】
【発明の実施の形態】
図１は本発明の実施の形態１に係る分解状態の要部を示す平面図、図２は図１の組立て状態を示す縦断面図及びそのＡ部を拡大した作用説明図である。図において、１は天井埋込形空気調和機の本体、２はプラスチックで形成された化粧パネル本体、３はプラスチックで形成されて化粧パネル本体２のコーナ部の意匠面を形成するコーナパネルである。
【００１０】
４は化粧パネル本体２に設けたネジ穴に挿通して化粧パネル本体２を空気調和機本体１に固定するための固定ネジである。５は化粧パネル本体２に設けた係合受け部で、ネジ穴６を有するボス７と係合凸部８を備えている。９は化粧パネル本体２に設けた係止穴である。
【００１１】
１０はコーナパネル３の裏面側の三隅に設けたほぼ逆Ｌ字状の係止爪で、この係止爪１０を化粧パネル本体２の係止穴９に係止させてスライドし、コーナパネル３を化粧パネル本体２に係止させるようにしてあり、この係止爪１０と係止穴９とによってスライド係止部ａを構成している。
【００１２】
１１はコーナパネル２の裏面側の他の一隅に設けた係合部で、係合爪１２を備えており、この係合爪１２が化粧パネル本体２の係合受け部５の係合凸部８と係合する。係合部１１にはネジ穴１３が設けられており、このネジ穴１３と係合受け部５のネジ穴６とに固定ネジ１４を挿通してコーナパネル３を化粧パネル本体２に固定しており、この係合部１１と係合受け部５によってネジ固定部ｂを形成している。
【００１３】
１５はコーナパネル３の例えば裏面側の二箇所に設けた引掛け用リブで、３つの係止爪１０を結んで形成される三角形の内部に位置する。１６は化粧パネル本体２の下面に設けた断面ほぼＬ字状の弾性爪部で、先端部にコーナパネル３の引掛け用リブ１５を引掛けて係止させる引掛け爪１７を備えており、この引掛け用リブ１５と弾性爪部１６によって引掛け部ｃを構成している。なお、１８は吸込みグリルである。
【００１４】
上記のように構成した本実施の形態の作用を説明する。まず、化粧パネル本体２を固定ネジ４によって空気調和機本体１に取り付ける。次に、コーナパネル３を手に持ち、化粧パネル本体２の係止穴９にコーナパネル３の係止爪１０を挿入して矢印方向にスライドさせ、コーナパネル３を化粧パネル本体２に係止させる。
【００１５】
この際、コーナパネル３の矢印方向へのスライドに伴って、コーナパネル３の引掛け用リブ１５は、化粧パネル本体２の弾性爪部１６の引掛け爪１７と接触し、さらにスライドさせると、弾性爪部１６は、図２（ｂ）に示すように、実線の位置から二点鎖線の位置まで弾性変形する。引掛け用リブ１５がコーナパネル３のスライドに伴ってさらに移動すると、弾性爪部１６は変形前の状態、すなわち実線の位置まで戻り、引掛け用リブ１５と弾性爪部１６の引掛け爪１７とが係止して、コーナパネル３が矢印と逆方向に移動するのを妨げる。
【００１６】
また、コーナパネル３の矢印方向へのスライドに伴って、コーナパネル３の係合部１１も化粧パネル本体２の係合受け部５と接触し、コーナパネル３がさらにスライドすると、係合部１１の係合爪１２と係合受け部５の係合凸部８が係合する。
【００１７】
このように、引掛け用リブ１５と弾性爪部１６が係止し、係合部１１と係合受け部５が係合した後、コーナパネル３と化粧パネル本体２のそれぞれのネジ穴１３，６に固定ネジ１４を挿通して、コーナパネル３を化粧パネル本体２にネジ固定する。コーナパネル３を取外す場合は、上記と逆の手順によればよい。
【００１８】
本実施の形態によれば、引掛け用リブ１５と弾性爪部１６を係止させるようにしたため着脱等の作業時間の短縮化を計ることができる。また、万一、コーナパネル３の係合部１１が破損しても、コーナパネル３の取付け時と同一もしくはそれ以上の力を加えない限り、コーナパネル３の弾性爪部１６は、図２（ｂ）に示す二点鎖線形状のように変形せずまた外れることがないため、落下するようなことはない。
【００１９】
なお、上記の説明では、コーナパネル３に引掛け用リブ１５を設け、化粧パネル本体２に弾性爪部１６を設けた場合について示したが、化粧パネル本体２に引掛け用リブ１５を設け、コーナパネル３に弾性爪部１６を設けても、同様の作用及び効果を得ることができる。
【００２０】
【発明の効果】
以上の説明から明らかなように、本発明は、空気調和機本体、空気調和機本体に取り付けた化粧パネル本体及び化粧パネル本体に取り付けられ化粧パネル本体のコーナ部の意匠面を形成するコーナパネル等を備えた天井埋込形空気調和機であって、コーナパネルと化粧パネル本体との間に、係合部とこの係合部に係合する係合受け部を備えコーナパネルを化粧パネル本体に係止させるネジ固定部を設けると共に、コーナパネル側に設られた係止爪と化粧パネル本体側に設けられ係止爪に係止する係止穴を備え、係止穴に係止爪を挿入してコーナパネルをスライドさせコーナパネルを化粧パネル本体に係止させるスライド係止部を設け、さらに、コーナパネル側に設けられた引掛け用リブと、化粧パネル本体側に設けられ先端部にコーナパネルの引掛け用リブを引掛けて係止させる引掛け爪を有する断面ほぼＬ字状の弾性爪部を備え、コーナパネルを化粧パネル本体に係止させる際に、コーナパネルのスライドに伴って引掛け用リブが弾性爪部の引掛け爪と接触して弾性爪部を弾性変形させ、コーナパネルのスライド後に引掛け用リブと弾性爪部の引掛け爪とが係止して、コーナパネルがスライド方向と逆方向に移動するのを妨げる引掛け部を設けたので、コーナパネルと化粧パネル本体との外れを防止して、コーナパネルの着脱作業時間の短縮化を図ることができると共に、コストを低減させることができる。
【図面の簡単な説明】
【図１】  本発明の実施の形態に係る要部の分解状態を示す平面図である。
【図２】  図１の組立て状態を示す縦断面図およびＡ部の拡大図である。
【図３】  従来の天井埋込形空気調和機の一例を示す分解斜視図である。
【図４】  図３の要部の分解状態を示す平面図である。
【図５】  図４の組立て状態を示す縦断面図である。
【符号の説明】
１  空気調和機本体、２  化粧パネル本体、３  コーナパネル、５  係合受け部、９係止穴、１０  係止爪、１１  係合部、１５  引掛け用リブ、１６  弾性爪部、１７  引掛け爪、ａ  スライド係止部、ｂ  ネジ固定部、ｃ  引掛け部。
【図１】
0003899459.tif 000002
【図２】
0003899459.tif 000003
【図３】
0003899459.tif 000004
【図４】
0003899459.tif 000005
【図５】
0003899459.tif 000006